(57)【要約】【課題】同一の操作軸で回転操作及び押圧操作が可能であり、且つ、回転型電気部品の中央部に他の部品を配置すること。【解決手段】中空状の軸受け部２を有するハウジング（ケース１、６）と、軸受け部２に回転可能に保持された中空状の操作軸５と、ハウジングに収納され操作軸５の回転を検出する回転検出手段と、ハウジングに収納され操作軸５の軸線方向への押圧操作に伴い駆動されるプッシュスイッチとを備え、操作軸５を軸受け部２の外周部で回転可能に保持すると共に、ハウジングの軸受け部２の外周側に収納部（１ｂ、６ｂ）を環状に設け、環状の収納部（１ｂ、６ｂ）内に回転検出手段及びプッシュスイッチを配置したことを特徴とする。【選択図】図１
2008112975.tif 000002
【特許請求の範囲】
【請求項１】
中空状の軸受け部を有するハウジングと、前記軸受け部に回転可能に保持された中空状の操作軸と、前記ハウジングに収納され前記操作軸の回転を検出する回転検出手段と、前記ハウジングに収納され前記操作軸の軸線方向への押圧操作に伴い駆動されるプッシュスイッチとを備え、前記操作軸を前記軸受け部の外周部で回転可能に保持すると共に、前記ハウジングの前記軸受け部の外周側に収納部を環状に設け、環状の前記収納部内に前記回転検出手段と前記プッシュスイッチとを配置したことを特徴とする回転型電気部品。
【請求項２】
前記ハウジングは、前記軸受け部の軸線方向の前方側に設けられた第１のケースと、後方側に設けられた第２のケースとを有し、前記第１のケース内に前記回転検出手段を配置すると共に、前記第２のケース内に前記プッシュスイッチを配置し、前記第２のケース内には、前記プッシュスイッチを押圧操作する押圧部材と該押圧部材を前記第１のケース側に付勢する付勢部材が設けられ、前記操作軸の軸線方向への前記押圧操作に伴って、前記押圧部材を介して前記プッシュスイッチが操作されると共に、前記ハウジングには前記付勢部材により付勢される前記押圧部材の動きを規制する受け部材が設けられたことを特徴とする請求項１記載の回転型電気部品。
【請求項３】
前記受け部材を前記第１のケースの壁部で構成したことを特徴とする請求項２記載の回転型電気部品。
【請求項４】
前記プッシュスイッチは、前記第２のケースに設けられた固定接点と、この固定接点と接離可能に対向した金属板からなる可動接点板とにより構成され、前記付勢部材を前記可動接点板により構成したことを特徴とする請求項２又は請求項３記載の回転型電気部品。
【請求項５】
前記プッシュスイッチは、前記操作軸の周方向に間隔をおいて複数設けられていると共に、前記押圧部材は中空部を有する環状に形成され、該中空部を前記軸受け部に挿通して、前記押圧部材を前記軸受け部の外周部に配置したことを特徴とする請求項４記載の回転型電気部品。
【請求項６】
前記押圧部材には、前記可動接点板とそれぞれ対向する押圧突起と、位置規制される規制部とが設けられており、前記規制部によって、前記押圧部材が前記第２のケースに位置決めされた状態で、前記押圧突起が複数の前記プッシュスイッチに対応する位置にそれぞれ配置されていることを特徴とする請求項５記載の回転型電気部品。
【請求項７】
前記付勢部材を前記軸受け部よりも巻き径が大きなコイルバネで形成し、このコイルバネを前記押圧部材と前記第２のケースの底面との間に配置し、前記コイルバネにより前記押圧部材を前記第１のケース側に付勢したことを特徴とする請求項２又は請求項３記載の回転型電気部品。
【請求項８】
前記付勢部材を変形可能なスカート部を有するゴム又はエラストマーからなる弾性成形体で形成し、この弾性成形体を前記押圧部材と前記第２のケースの底面との間に配置し、前記弾性成形体により前記押圧部材を前記第１のケース側に付勢したことを特徴とする請求項２又は請求項３記載の回転型電気部品。
【請求項９】
前記回転検出手段は、前記第１のケースに設けられた導電パターンと、この導電パターン上を摺接する摺動子とからなり、前記摺動子は、前記操作軸と共に回転すると共に、前記操作軸の軸線方向の移動を許容する前記第１のケース内に収容された環状の回転体に設けられることを特徴とする請求項２記載の回転型電気部品。
【請求項１０】
前記回転体の前記摺動子が設けられた面の反対側の面には、複数の凹凸部が形成され、この凹凸部に係脱するローラが板バネに保持されて前記回転体の前記凹凸部側に弾性付勢されることを特徴とする請求項９記載の回転型電気部品。
【発明の詳細な説明】
【技術分野】
【０００１】
本発明は、回転型電気部品に係り、特に押圧操作用のプッシュスイッチを備えたプッシュスイッチ付きの回転型電気部品に関する。
【背景技術】
【０００２】
従来のセンタープッシュスイッチ付きの回転型電気部品としては、操作軸の軸線方向の移動動作でスイッチをオン、オフさせるプッシュスイッチを備え、操作軸の回転動作により回転操作型エンコーダを操作するようにした構造のものが知られている（例えば、特許文献１参照）。
【０００３】
この従来の回転型電気部品の構造を図１１及び図１２に示す。図１１は、従来の回転型電気部品の断面図であり、図１２は、図１１に示す回転型電気部品における操作軸を押した状態の断面図である。
【０００４】
図１１及び図１２において、５１は金属ダイカスト等からなる軸受であり、その中心孔５１Ａには、棒状の操作軸５２が回転および軸線方向の動きが可能なように嵌合保持されている。この操作軸５２の円形嵌合部５２Ａの前部は、操作用のつまみ５３を装着するための操作部５２Ｂとなり、後部には細径溝部５２Ｃが設けられ、軸受５１の中心孔５１Ａよりも大きい外径のＣ形の止めリング５４が装着されて操作軸５２の抜けを防止している。
【０００５】
また、その後方の非円形部５２Ｄには、エンコーダ部５５の回転体５６が、回転運動は伝達されるが軸線方向の動きは伝わらないように係合され、さらに後端部５２Ｅは、プッシュ操作型のスイッチ部５７のばね性を有する可動接点体５８に当接して操作軸５２全体が前方へ押された状態となっており、上記のＣ形の止めリング５４が軸受５１の後端面５１Ｂに当接している。
【０００６】
このプッシュスイッチ付き回転操作型エンコーダの動作は、つまみ５３を回転操作して操作軸５２を回転させることにより、回転体５６が回転運動をしてエンコーダ部５５の端子５５Ａ部にパルス信号を発生し、また、つまみ５３を押して操作軸５２を押し込むことにより、図１２に示すように、スイッチ部５７のばね性を有する可動接点体５８の中央部が窪まされて、その下部の可動接点５８Ａとスイッチ基板５９上の固定接点５９Ａが接触してスイッチ部５７の一対の端子５７Ａ間がＯＮとなる。
【０００７】
そして、つまみ５３を押す力を除くと、可動接点体５８のばね弾性力により操作軸５２が押し戻されて、スイッチ部５７の一対の端子５７Ａ間がＯＦＦとなり、図１１に示す元の状態に戻るものである。
【特許文献１】特開平１０−６４３７５号公報
【発明の開示】
【発明が解決しようとする課題】
【０００８】
しかしながら、上述した従来の回転型電気部品においては、操作軸やプッシュスイッチが中央に配置されているため、回転型電気部品の中央部には他の部品が配置できず、例えば、照光用などのＬＥＤや他の電子部品を配置する場合には、回転型電気部品の外側に配置するしかなく、つまみ部の照光性能や、電子部品等の実装自由度に問題があった。
【０００９】
本発明はかかる問題点に鑑みて為されたものであり、同一の操作軸で回転操作及び押圧操作が可能であり、且つ、回転型電気部品の中央部に他の部品を配置することができる回転型電気部品を提供することを目的とする。
【課題を解決するための手段】
【００１０】
本発明の回転型電気部品は、中空状の軸受け部を有するハウジングと、前記軸受け部に回転可能に保持された中空状の操作軸と、前記ハウジングに収納され前記操作軸の回転を検出する回転検出手段と、前記ハウジングに収納され前記操作軸の軸線方向への押圧操作に伴い駆動されるプッシュスイッチとを備え、前記操作軸を前記軸受け部の外周部で回転可能に保持すると共に、前記ハウジングの前記軸受け部の外周側に収納部を環状に設け、環状の前記収納部内に前記回転検出手段と前記プッシュスイッチとを配置したことを特徴とする。
【００１１】
この構成によれば、ハウジングの軸受け部の外周側に設けた環状の収納部内に回転検出手段及びプッシュスイッチを配置したことから、ハウジングの中空状の軸受け部の内周側をフリースペースとすることができるので、例えば、照光用の発光ダイオードや他の電子部品を配置することができ、電子部品の実装自由度を向上することが可能となる。また、操作軸の回転を検出する回転検出手段と、操作軸の軸線方向への押圧操作に伴い駆動されるプッシュスイッチとを備えたことから、同一の操作軸で回転操作及び押圧操作を受け付けることができるので、良好な操作性を得ることが可能となる。
【００１２】
上記回転型電気部品においては、前記ハウジングは、前記軸受け部の軸線方向の前方側に設けられた第１のケースと、後方側に設けられた第２のケースとを有し、前記第１のケース内に前記回転検出手段を配置すると共に、前記第２のケース内に前記プッシュスイッチを配置し、前記第２のケース内には、前記プッシュスイッチを押圧操作する押圧部材と該押圧部材を前記第１のケース側に付勢する付勢部材が設けられ、前記操作軸の軸線方向への前記押圧操作に伴って、前記押圧部材を介して前記プッシュスイッチが操作されると共に、前記ハウジングには前記付勢部材により付勢される前記押圧部材の動きを規制する受け部材が設けられることが好ましい。この場合には、押圧部材を付勢する付勢力が受け部材によって受け止められることから、押圧部材のがたつきを防止できると共に、この付勢力が操作軸に及ぶのを抑制できるので、操作軸における良好な操作性を得ることが可能となる。また、回転検出手段とプッシュスイッチをそれぞれ第１と第２のケースに分けて配置したことから、組立作業性を向上することが可能となる。
【００１３】
特に、上記回転型電気部品においては、前記受け部材を前記第１のケースの壁部で構成することが好ましい。この場合には、受け部材を第１のケースの壁部で構成したことから、部品点数を削減すると共に、簡単な構造で押圧部材の動きを規制することが可能となる。
【００１４】
例えば、上記回転型電気部品において、前記プッシュスイッチは、前記第２のケースに設けられた固定接点と、この固定接点と接離可能に対向した金属板からなる可動接点板とにより構成され、前記付勢部材を前記可動接点板により構成することが好ましい。この場合には、付勢部材をプッシュスイッチの可動接点板で兼ねることができるので、部品点数を削減すると共に、その組立作業性を向上することが可能となる。
【００１５】
特に、上記回転型電気部品において、前記プッシュスイッチは、前記操作軸の周方向に間隔をおいて複数設けられていると共に、前記押圧部材は中空部を有する環状に形成され、該中空部を前記軸受け部に挿通して、前記押圧部材を前記軸受け部の外周部に配置することが好ましい。この場合には、プッシュスイッチを周方向に間隔をおいて複数設けたことから、操作軸が傾いた状態で押圧された場合にも、何れかのプッシュスイッチを駆動させることができるので、本回転型電気部品における信頼性を向上することが可能となる。例えば、プッシュスイッチを、操作軸の周方向に間隔をおいて３個以上設けることにより、押圧部材のバランスを確保しながら、確実にプッシュスイッチを駆動させることが可能となる。
【００１６】
また、上記回転型電気部品において、前記押圧部材には、前記可動接点板とそれぞれ対向する押圧突起と、位置規制される規制部とが設けられており、前記規制部によって、前記押圧部材が前記第２のケースに位置決めされた状態で、前記押圧突起が複数の前記プッシュスイッチに対応する位置にそれぞれ配置されていることが好ましい。この場合には、位置規制された押圧部材に押圧突起が設けられていることから、例えば、押圧突起により可動接点板の中央部を押圧可能となり、可動接点板の端部が押圧されることに伴う可動接点板の不所望な変形を生じにくくできるので、プッシュスイッチの長寿命化を図ることが可能となる。また、可動接点板が、反転してクリック感触を生起する構成を採る場合には、良好なクリック感触を得ることができる。
【００１７】
なお、上記回転型電気部品においては、前記付勢部材を前記軸受け部よりも巻き径が大きなコイルバネで形成し、このコイルバネを前記押圧部材と前記第２のケースの底面との間に配置し、前記コイルバネにより前記押圧部材を前記第１のケース側に付勢するようにしても良い。この場合には、操作軸及びプッシュスイッチの復帰を確実に行うことができると共に、プッシュスイッチがオンとなる荷重を容易に変更することができ、簡単に、様々な回転型電気部品の仕様に対応することが可能となる。
【００１８】
また、上記回転型電気部品においては、前記付勢部材を変形可能なスカート部を有するゴム又はエラストマーからなる弾性成形体で形成し、この弾性成形体を前記押圧部材と前記第２のケースの底面との間に配置し、前記弾性成形体により前記押圧部材を前記第１のケース側に付勢するようにしても良い。この場合には、操作軸及びプッシュスイッチの復帰を確実に行うことができると共に、プッシュスイッチがオンとなる荷重を容易に変更することができ、簡単に、様々な回転型電気部品の仕様に対応することが可能となる。また、弾性成形体のスカート部の反転動作によって押圧操作時における良好なクリック感触を簡単に得ることが可能となる。
【００１９】
例えば、上記回転型電気部品において、前記回転検出手段は、前記第１のケースに設けられた導電パターンと、この導電パターン上を摺接する摺動子とからなり、前記摺動子は、前記操作軸と共に回転すると共に、前記操作軸の軸線方向の移動を許容する前記第１のケース内に収容された環状の回転体に設けられる。この場合には、導電パターンと、この導電パターン上を摺接する摺動子とによって回転検出手段が構成されることから、簡単な構成で確実に操作軸の回転検出を行うことが可能となる。なお、この場合において、プッシュスイッチは、第２のケースに設けられていることから、操作軸に対する押圧操作が回転検出に影響を及ぼすことはない。
【００２０】
また、上記回転型電気部品において、前記回転体の前記摺動子が設けられた面の反対側の面には、複数の凹凸部が形成され、この凹凸部に係脱するローラが板バネに保持されて前記回転体の前記凹凸部側に弾性付勢されるようにしても良い。この場合には、操作軸の回転に伴ってローラを回転体の凹凸部に対して係脱させることができるので、良好なクリック感触を得ることが可能となる。
【発明の効果】
【００２１】
本発明によれば、同一の操作軸で回転操作及び押圧操作が可能であり、且つ、回転型電気部品の中央部に他の部品を配置することができる回転型電気部品を提供することが可能となる。
【発明を実施するための最良の形態】
【００２２】
以下、本発明の実施の形態について添付図面を参照して詳細に説明する。
【００２３】
（実施の形態１）
図１は、本発明の実施の形態１に係る回転型電気部品の分解斜視図である。図２は、実施の形態１に係る回転型電気部品の外観を示す斜視図である。なお、以下においては、適宜、図１に示す右方側を「回転電気部品の後方側」又は単に「後方側」と呼び、左方側を「回転電気部品の前方側」又は単に「前方側」と呼ぶものとする。
【００２４】
図１において、ハウジングの一部を構成し、第２のケースとして機能するケース１は、例えば、合成樹脂等の絶縁材で構成される。ケース１の中央には前後方向に貫通した中空状の貫通孔１ａが設けられている。貫通孔１ａの外面側で前方側が略円筒状の軸受け部２を構成する一方、後方側の外面側には有底状で前方側が開口された環状の収納部１ｂが設けられている。収納部１ｂの底面には、後方側に凹形状とされた複数（本実施の形態では３つ）のスイッチ保持部１ｃが設けられている。スイッチ保持部１ｃは、円形状を有しており、収納部１ｂの底面において等間隔に配置されている。スイッチ保持部１ｃの内底面には、導電性を有する金属板からなる中央固定接点１ｄ及び外部固定接点１ｅが配設されている。なお、ケース１の後方側には、この中央固定接点１ｄ又は外部固定接点１ｅから導出された外部端子１ｇが延出されている（図１に不図示、図８参照）。また、収納部１ｂの底面には、隣接するスイッチ保持部１ｃの間に複数（本実施の形態では３つ）の軸１ｆが立設されている。この軸１ｆは、後述する押圧部材４の移動を規制するものである。
【００２５】
収納部１ｂのスイッチ保持部１ｃには、導電性を有する薄板金属板からなる可動接点板３が配設される。可動接点板３は、スイッチ保持部１ｃよりも僅かに小径の円形状を有すると共に、その中央が僅かに前方側に膨らんだドーム形状を有しており、後述する押圧部材４を前方側に付勢する付勢部材を構成する。可動接点板３は、周縁部を外部固定接点１ｅに接触した状態で配設されると共に、その中央部を中央固定接点１ｄに対向させた状態で配設される。そして、後述する操作軸５に対する押圧操作に応じて弾性を有する可動接点板３が反転し、中央固定接点１ｄと接触するように構成されている。また、押圧操作から解放されると、弾性復帰して元の状態に戻る。このような可動接点板３と、中央固定接点１ｄ及び外部固定接点１ｅとで本実施の形態に係る回転型電気部品のプッシュスイッチＳ１が構成される（図８参照）。また、可動接点板３は、後述する押圧部材４を付勢する付勢部材として機能する。このため、付勢部材を別途設ける必要がないので、部品点数を削減すると共に、その組立作業性を向上することが可能となる。
【００２６】
押圧部材４は、合成樹脂等の絶縁材で形成され、概して円環形状を有している。押圧部材４には、中央に中空状の挿通孔４ａが設けられている。この挿通孔４ａが軸受け部２に挿通されることにより押圧部材４が収納部１ｂ内に保持される。また、押圧部材４の外周側には、複数（本実施の形態では３つ）の押圧片４ｂと、複数（本実施の形態では３つ）の位置規制片４ｃとが設けられている。押圧片４ｂ及び位置規制片４ｃは、それぞれ等間隔に設けられ、隣接する押圧片４ｂ（位置規制片４ｃ）の中央に位置規制片４ｃ（押圧片４ｂ）が配置されている。
【００２７】
押圧片４ｂは、可動接点板３に対応する間隔で設けられ、後方側に突出形成された押圧突起４ｅを有している（図１に不図示、図８参照）。そして、後述する操作軸５に対する押圧操作に応じて、押圧突起４ｅと対向して配置された可動接点板３を後方側に反転させる。位置規制片４ｃは、軸１ｆに対応する間隔に設けられており、この軸１ｆを収容する孔４ｄが形成されている。規制部としての孔４ｄに軸１ｆを収容することで押圧部材４の移動、詳しくは操作軸５の軸線方向以外の移動が規制される。このように位置規制片４ｃで位置規制された押圧部材４に押圧突起４ｅを有する押圧片４ｂが設けていることから、押圧突起４ｅにより可動接点板３の中央部を押圧可能となる。これにより、可動接点板３の端部が押圧されて、可動接点板３を不所望に塑性変形しにくくできるので、プッシュスイッチの長寿命化を図ることが可能となる。また、可動接点板３の中央部を押圧することで確実に反転させることができ、良好なクリック感触を得ることができる。
【００２８】
操作軸５は、合成樹脂等の絶縁材で中空状の略円筒状に形成されており、やや太径の基台部５ａとこの基台部５ａの先端側にやや細径の軸部５ｂとを有している。また、基台部５ａと軸部５ｂの中央には前後に貫通した中空状の挿通孔５ｃが設けられており、この挿通孔５ｃが軸受け部２の外周部に回転可能に保持されるものとなっている。軸部５ｂの外周面には、基台部５ａから前方側に軸部５ｂの中央近傍まで延在する複数（本実施の形態では４つ）のガイド片５ｄが設けられている。これらのガイド片５ｄは、後述する回転体７の係合溝７ｂと係合し、装着時における回転体７をガイドするものである。また、軸部５ｂの外周面には、基台部５ａから僅かに前方側に延在する複数（本実施の形態では４つ）の係合片５ｅが設けられている。これらの係合片５ｅは、後述する回転体７の凹部７ｃと係合し、操作軸５の回転を回転体７に伝達するものである。さらに、係合片５ｅの前方側には、一定距離を挟んで複数（本実施の形態では４つ）の爪部５ｆが設けられている。これらの爪部５ｆは、操作軸５に取り付けられる不図示の操作つまみ等の開口部と係合し、操作つまみ等を保持するものである。
【００２９】
ハウジングの一部を構成し、第１のケースとして機能するケース６は、合成樹脂等の絶縁材で形成されており、ケース１と略同一の外形を有し、ケース１の前方側に重ね合わされた状態で配設される。このケース６は、中空状の略円筒状に形成され、中央にやや大径の挿通孔６ａを有し、この挿通孔６ａの外側に有底状で前方側が開口された環状の収納部６ｂが設けられている。収納部６ｂの内底面には、導電性の金属板からなる導電パターン６ｃが配設されている。また、ケース６の後方側には、この導電パターン６ｃから導出された外部端子６ｄが延出されている。
【００３０】
回転体７は、合成樹脂等の絶縁材で形成されており、概して円環形状を有している。回転体７には、中央に大径の開口部７ａが形成されている。回転体７は、後方側の面を収納部６ｂの表面に対向させた状態で、収納部６ｂに配置されている。回転体７の開口部７ａの内周面には、複数（本実施の形態では４つ）の係合溝７ｂと、複数（本実施の形態では４つ）の凹部７ｃが設けられている。係合溝７ｂは、操作軸５のガイド片５ｄと係合するものであり、凹部７ｃは、操作軸５の係合片５ｅと係合するものである。これらの係合により、回転体７は、操作軸５とスプライン係合するように構成されている。すなわち、回転体７は、操作軸５と一体的に回転すると共に、操作軸５の軸線方向の移動を許容するものとなっている。また、回転体７の前方側の面には、円環状に複数の凹凸形状を有するカム溝７ｄが形成されている。このカム溝７ｄには、後述する板ばね９に保持されたローラ１０が弾接することにより、回転体７が回転する際のクリック感触を生起させる複数の凹凸部からなるクリックカム７ｅが形成されている。
【００３１】
また、回転体７の後方側の面には、導電性の薄板金属板からなる複数個の接片８ａを有する摺動子片８が固着されている。この摺動子片８の接片８ａは、回転型電気部品の後方側に折り曲げられており、後述するように回転体７がケース６の収納部６ｂに収納された状態においてその先端部が導電パターン６ｃと接触する。なお、実施の形態１に係る回転型電気部品においては、回転体７、摺動子片８及び導電パターン６ｃとで回転検出手段Ｓ２が構成されている（図８参照）。
【００３２】
板ばね９は、弾性を有する金属板（例えば、ステンレスやリン青銅等）からなり、概して円環形状を有している。板ばね９は、その後方側の面が回転体７のカム溝７ｄに対向する位置に配設される。板ばね９には、中央に中空状の挿通孔９ａが設けられている。また、板ばね９における所定位置には、一対のローラ保持部９ｂが設けられている。ローラ保持部９ｂは、ローラ１０が有するシャフト１０ａを回転可能に保持することで、ローラ１０を回転可能に保持する。また、板ばね９の一対のローラ保持部９ｂの中間位置には、外周側に突出した一対の取付部９ｃが設けられている。この取付部９ｃは、ケース６と後述する取付部材１１とによって挟持されて固定される。
【００３３】
取付部材１１は、金属板を打ち抜き、折り曲げて形成されており、円環状の上板部１１ａと、この上板部１１ａから後方側に向けて直角に延出する複数（本実施の形態では６つ）の係合脚片１１ｂとを有している。取付部材１１には、中央に中空状の挿通孔１１ｃが設けられている。挿通孔１１ｃは、操作軸５の軸部５ｂよりも僅かに大径に設けられている。
【００３４】
このような構成部品を有する回転型電気部品を組み立てると、図２に示すように、ケース１の前方側にケース６が重ね合され、これらのケース１及びケース６で構成されるハウジングに操作軸５を収容した状態でケース６の前方側から取付部材１１が取り付けられる。この場合において、ケース１の収納部１ｂには、押圧部材４が収容される一方、ケース６の収納部６ｂには、回転体７及び板ばね９が収容されている。操作軸５の軸部５ｂは、取付部材１１の挿通孔１１ｃから前方側に向けて露出した状態となっている。このように組み立てられた状態において、操作軸５及び回転体７は、ハウジングに対して回転可能に構成される。
【００３５】
以下、本実施の形態に係る回転型電気部品を組み立てる工程について図３〜図７を用いて説明する。なお、以下に示す回転型電気部品を組み立てる工程については一例を示したものであり、必ずしもこの工程に限定されるものではく、適宜変更が可能である。
【００３６】
本実施の形態に係る回転型電気部品を組み立てる際には、まず、ケース１のスイッチ保持部１ｃに可動接点板３を配置する。図３は、実施の形態１に係る回転型電気部品のケース１に可動接点板３を配置した場合の正面図である。図３に示すように、可動接点板３は、収納部１ｂにおいて、周方向に等間隔（等角度間隔）に配置されている。このように配置される可動接点板３に対して、軸１ｆは、隣接する可動接点板３の中央に等間隔に設けられている。
【００３７】
このように本回転型電気部品においては、収納部１ｂの底面に等間隔に可動接点板３（プッシュスイッチＳ１）を配置することにより、操作軸５が傾いた状態で押圧された場合においても、いずれかのプッシュスイッチＳ１を駆動させるようにして信頼性を向上させている。特に、本回転型電気部品においては、可動接点板３（プッシュスイッチＳ１）を３つ以上配置することにより、プッシュスイッチＳ１のバランスを確保しながら駆動できるように構成している。
【００３８】
次に、押圧部材４の挿通孔４ａに軸受け部２を挿通させてケース１の収納部１ｂに配置する。このとき、収納部１ｂにおいて、位置規制片４ｃの孔４ｄが底面の軸１ｆを収容すると共に、押圧片４ｂが可動接点板３に対応する位置に配置されるように押圧部材４を収納部１ｂに配置する。図４は、実施の形態１に係る回転型電気部品のケース１に押圧部材４を配置した場合の正面図である。図４に示すように、押圧部材４は、軸受け部２の外周近傍に、押圧片４ｂに設けた押圧突起４ｅを可動接点板３の中央部にそれぞれ対応させた状態で、配置される。なお、この場合には、位置規制片４ｃの孔４ｄで底面の軸１ｆを収容するだけで、押圧片４ｂの押圧突起４ｅを可動接点板３に対応する位置に配置することができる。
【００３９】
このように位置規制片４ｃの孔４ｄで底面の軸１ｆを収容した場合には、操作軸５が回転した場合においても、押圧部材４がこれに伴って回転するのを防止でき、確実に操作軸５に対する押圧操作に応じてプッシュスイッチＳ１を駆動することが可能となる。
【００４０】
次に、操作軸５の円筒形状部の内側に軸受け部２を収容するようにケース１に操作軸５を取り付ける。図５は、実施の形態１に係る回転型電気部品のケース１に操作軸５を取り付けた場合の斜視図である。図５に示すように、操作軸５は、内部に軸受け部２を収容した状態で、押圧部材４の前方側に当接して取り付けられる。この場合において、操作軸５は、軸受け部２に回転可能に保持されている。そして、操作軸５が回転すると、操作軸５の後方側の端部が押圧部材４の前方側の面と摺接するものとなっている。
【００４１】
次に、挿通孔６ａに操作軸５を挿通させてケース１の前方側に重ねるようにケース６を取り付ける。図６は、実施の形態１に係る回転型電気部品のケースを重ね合わせた場合の斜視図である。図６に示すように、ケース６は、挿通孔６ａを介して前方側に操作軸５を突出させた状態でケース１に取り付けられ、ケース１と一体化した状態となる。ケース６の収納部６ｂは、操作軸５の基台部５ａ近傍に配置される。なお、この場合において、操作軸５の外周面に形成されたガイド片５ｄ及び係合片５ｅは、収納部６ｂ内において、ケース６から前方側に突出した状態となっている。また、導電パターン６ｃから導出される外部端子６ｄは、ケース１よりも後方側に延出した状態となっている。
【００４２】
次に、前方側に開口したケース６の収納部６ｂに対して、後方側の面に摺動子片８を固着させた状態の回転体７を収納すると共に、この回転体７のカム溝７ｄに対向するように板ばね９を取り付ける。具体的には、後方側の面に摺動子片８を固着させた状態の回転体７の係合溝７ｂにガイド片５ｄを対応させると共に、凹部７ｃに係合片５ｅを対応させて回転体７を後方側に押し込むことにより、当該回転体７を収納部６ｂに収納する。このとき、回転体７の後方側の面に固着された摺動子片８は、ケース６に設けられた導電パターン６ｃと接触した状態となる。
【００４３】
そして、収納部６ｂにおいて、ローラ１０をローラ保持部９ｂに保持させた状態の板ばね９を回転体７のカム溝７ｄに対向するように板ばね９を配置する。なお、板ばね９は、例えば、後述する工程によりケース６の外壁部の前方側の端面に固定される。図７は、実施の形態１に係る回転型電気部品のケース６の収納部６ｂに回転体７及び板ばね９を収納した場合の斜視図である。図７に示すように、回転体７は、係合溝７ｂでガイド片５ｄを収容すると共に、凹部７ｃで係合片５ｅ収容した状態で収納部６ｂに収納される。また、板ばね９は、ローラ保持部９ｂで保持したローラ１０がクリックカム７ｅに対して係脱するように、回転体７と対向配置される。
【００４４】
そして、このように回転体７及び板ばね９が収納部６ｂに収納された状態のハウジングに対して取付部材１１が前方側から取り付けられることで、本実施の形態に係る回転型電気部品が組み立てられる。なお、取付部材１１の取り付けの際、板ばね９の取付部９ｃは、ケース６の外壁部の前方側の端面と取付部材１１の上板部１１ａの後方側の面とで挟持される。これにより、板ばね９がハウジング（ケース６）に対して固定されたものとなる。以上のような工程により、回転型電気部品が図２に示す状態とされ、操作軸５を介して使用者からの回転操作及び押圧操作を受け付けることができるように構成されている。
【００４５】
ここで、本実施の形態に係る回転型電気部品の内部構成について説明する。図８は、実施の形態１に係る回転型電気部品の断面図である。なお、図８においては、板ばね９に保持された一対のローラ１０に沿って切断した場合の断面図を示している。なお、図８においては、同図に示す下方側が回転型電気部品の後方側に対応し、同図に示す上方側が回転型電気部品の前方側に対応する。
【００４６】
図８に示すように、本実施の形態に係る回転型電気部品において、ケース６は、ケース１の収納部１ｂの開口部を閉じるようにケース１に重ねられている。そして、この収納部１ｂに押圧部材４が配設されている。押圧部材４の後方側（同図に示す下方側）には、可動接点板３が配置されており、この可動接点板３の付勢力により押圧部材４が前方側（図８に示す上方側）に付勢されている。この場合において、押圧部材４の前方側の面は、ケース６の後方側の壁部と当接しており、このケース６の後方側の壁部が押圧部材４の受け部材を構成するものとなっている。すなわち、可動接点板３によって前方側に付勢された押圧部材４の動き（操作軸５の軸線方向の動き）が、ケース６の後方側の壁部からなる受け部材によって規制（制限）されている。
【００４７】
このように本回転型電気部品においては、押圧部材４を付勢する可動接点板３による付勢力が受け部材によって受け止められることから、押圧部材４のがたつきを防止できると共に、この付勢力が押圧部材４と当接状態にある操作軸５に及ぶのを抑制できるので、操作軸５における良好な操作性を得ることが可能となる。特に、受け部材をケース６の後方側の壁部で構成しているので、部品点数を削減すると共に、簡単な構造で押圧部材４の動きを規制することが可能となる。
【００４８】
また、取付部材１１は、ケース６の収納部６ｂの開口部を閉じるように前方側からケース６に取り付けられる。そして、この収納部６ｂに回転体７が配設されている。回転体７は、後方側から操作軸５の基台部５ａを収容可能な形状を有しており、この基台部５ａに接触した状態あるいは当接可能に近接した状態で保持される。そして、係合溝７ｂまたは凹部７ｃが形成されていない回転体７の内周部と基台部５ａの前方側の面とが当接することで、操作軸５の前方側への移動が制限されている。このとき、回転体７の後方側の面は、導電パターン６ｃと対向配置されており、そこに固着された摺動子片８の切片８ａがこの導電パターン６ｃに接触するように構成されている。そして、このように配設された回転体７の前方側に、ローラ１０を保持した板ばね９が取り付けられる。この場合において、ローラ１０は、その外周面を回転体７のクリックカム７ｅに接触させた状態で板ばね９に保持されている。なお、板ばね９は、一対の取付部９ｃが取付部材１１の対向する２つの係合脚片１１ｂに位置決めされると共に、ローラ保持部９ｂを変位可能な状態で、ケース６と取付部材１１との間に挟持されている。
【００４９】
次に、本実施の形態に係る回転型電気部品の動作について説明する。操作者により操作軸５に対して回転操作が行われると、操作軸５に装着された回転体７が操作軸５と共に回転する。このとき、回転体７に固着された摺動子片８の切片８ａが、ケース６の導電パターン６ｃを摺動することにより、回転角度に則した所望の検出信号が外部端子６ｄから出力される。この場合において、回転体７が回転すると、クリックカム７ｅに接触した状態で保持されているローラ１０がクリックカム７ｅに対して係脱することにより、クリック感触を操作者に与えることが可能となっている。
【００５０】
一方、操作者により操作軸５に対して押圧操作が行われると、操作軸５の後方側への移動に伴って押圧部材４も後方側に移動する。押圧部材４が後方側に移動すると、押圧片４ｂの押圧突起４ｅにより可動接点板３が押圧される。そして、一定位置以上に可動接点板３が押圧されると、これが反転し、可動接点板３の後方側の中央部が中央固定接点１ｄと接触する。これにより、可動接点板３と中央固定接点１ｄ及び外部固定接点１ｅとが導通状態となり、外部端子１ｇからオン信号が出力される。そして、操作軸５に対する押圧操作が解除されると、可動接点板３の弾性復帰力により押圧部材４が前方側に付勢され、可動接点板３を介した中央固定接点１ｄと外部固定接点１ｅとの導通状態が解除される。これにより、外部端子１ｇからオフ信号が出力される。この場合において、可動接点板３が反転（又は復帰）すると、クリック感が生起され、クリック感触を操作者に与えることが可能となっている。
【００５１】
このように実施の形態１に係る回転型電気部品おいては、ハウジングの軸受け部２の外周側に設けた環状の収納部６ｂ、収納部１ｂ内に、それぞれ回転検出手段Ｓ２及びプッシュスイッチＳ１を配置したことから、ハウジングの中空状の軸受け部２の内周側をフリースペースとすることができるので、例えば、照光用の発光ダイオードや他の電子部品を配置することができ、電子部品の実装自由度を向上することが可能となる。そして、操作軸５の回転を検出する回転検出手段Ｓ２と、操作軸５の軸線方向への押圧操作に伴い駆動されるプッシュスイッチＳ１とを備えたことから、同一の操作軸５で回転操作及び押圧操作を受け付けることができるので、良好な操作性を得ることが可能となる。
【００５２】
特に、本実施の形態に係る回転型電気部品においては、プッシュスイッチＳ１及び回転検出手段Ｓ２を、それぞれケース１の収納部１ｂ、ケース６の収納部６ｂに分けて配置したことから、組立作業性を向上することが可能となる。また、プッシュスイッチＳ１の前方側に回転検出手段Ｓ２を配設して、プッシュスイッチＳ１と回転検出手段Ｓ２とを、操作軸５の軸線方向に沿って積層するように配置した構成としている。これにより、ハウジングの形状、すなわち、収納部１ｂ、６ｂの幅寸法を大きくすることなく、軸受け部２の内周側に所望の大きさのフリースペースを確保することが可能となる。
【００５３】
また、本実施の形態に係る回転型電気部品においては、回転体７、導電パターン６ｃ及び摺動子片８によって回転検出手段Ｓ２を構成していることから、簡単な構成で確実に操作軸５の回転検出を行うことが可能となる。なお、この場合において、プッシュスイッチＳ１は、ケース１に設けられていることから、操作軸５に対する押圧操作が回転検出に影響を及ぼすことはない。
【００５４】
さらに、本実施の形態に係る回転型電気部品においては、回転体７の前方側の面に、複数のクリックカム７ｅを形成し、このクリックカム７ｅに係脱するローラ１０が板バネ９に保持されて当該クリックカム７ｅ側に弾性付勢するように構成していることから、操作軸５の回転に伴ってローラ１０を回転体７のクリックカム７ｅ対して係脱させることができるので、良好なクリック感触を得ることが可能となる。
【００５５】
（実施の形態２）
実施の形態２に係る回転型電気部品は、回転検出手段の一部の構成及びプッシュスイッチＳ１の構成が異なる点で実施の形態１に係る回転型電気部品と相違する。以下、実施の形態２に係る回転型電気部品の構成について、実施の形態１に係る回転型電気部品との相違点を中心に説明する。図９は、実施の形態２に係る回転型電気部品の構成を説明するための断面図である。なお、図９において、実施の形態１に係る回転型電気部品と同一の構成については、同一の符号を付してその説明を省略する。
【００５６】
図９に示すように、実施の形態２に係る回転型電気部品は、回転及び押圧操作可能な中空状の操作軸５と、この操作軸５を回転可能に保持する中空状の軸受け部２を有すると共に、操作軸５の押圧動作によって駆動されるプッシュスイッチＳ１が配設されたケース１と、このケース１の前方側（図９に示す上方側）に配置され、操作軸５の回転操作によって回転する回転検出手段Ｓ２が配設されたケース６とから主に構成されている。ケース１とケース６とでハウジングが構成されるのは、実施の形態１と同様である。
【００５７】
操作軸５において、基台部５ａの外周面には、少なくとも一対の凹凸状に形成された第１係合部５ｇが設けられており、また、基台部５ａの後方側（図９に示す下方側）には、環状或いは複数個の下方に突出した当接突起５ｈが設けられている。
【００５８】
ケース１において、収納部１ｂの底面側には、隔壁１ｈを挟んで軸受け部２側にバネ保持部１ｉ、反対側にスイッチ保持部１ｊがそれぞれ環状に設けられている。また、スイッチ保持部１ｊの内底面には、導電性の金属板からなりプッシュスイッチＳ１を構成する一対の固定接点（中央固定接点、外部固定接点）１ｋが配設されており、ケース１の後方側には固定接点１ｋから導出された外部端子１ｌが延出されている。
【００５９】
ここで、固定接点１ｋ（プッシュスイッチＳ１）は、操作軸５の軸線を挟んで複数個形成されるものとなっている。このように、プッシュスイッチＳ１を操作軸５の軸線を挟んで複数個設けるようにしたので、操作軸５が傾いて押圧された場合にも、何れかのプッシュスイッチＳ１が駆動されるため信頼性が向上するものとなっている。また、収納部１ｂの外周を形成する外壁部１ｍには、ケース６の収納部６ｂから導出された外部端子６ｄを係止する係止突部１ｎが設けられている。
【００６０】
収納部１ｂのスイッチ保持部１ｊには、固定接点１ｋに対向して導線性の薄板金属板からなる可動接点板１２が載置されており、この可動接点板１２の接片１２ａの上面側には、可撓性を有するゴム或いはエラストマーからなる駆動バネ１３が配設されている。また、駆動バネ１３の前方側には、押圧部材１４が配設されており、この押圧部材１４が操作軸５により押圧されることにより駆動バネ１３が押圧され、可動接点板１２の接片１２ａと固定接点１ｋが接触されてプッシュスイッチＳ１がオンするようになっている。
【００６１】
また、バネ保持部１ｉには、付勢部材であるコイルバネ１５が配設されている。このコイルバネ１５は、軸受け部２よりも巻き径が大きなコイル状に巻回されて形成され、巻回部が軸受け部２の外周部に配置されて押圧部材１４を付勢するものとなっている。
【００６２】
押圧部材１４は、合成樹脂等の絶縁材で形成され、中央に中空状の挿通孔１４ａが設けられており、この挿通孔１４ａが軸受け部２に挿通されることにより押圧部材１４が収納部１ｂ内に保持されている。また、押圧部材１４には、挿通孔１４ａ側に設けられた凹状のバネ受け部１４ｂと、外周側に設けられた凸状の駆動部１４ｃと、両者の中間に設けられたストッパ部１４ｄとを有している。そして、押圧部材１４は、バネ保持部１ｉに一端が保持されたコイルバネ１５の他端がバネ受け部１４ｂに当接され、駆動部１４ｃの先端が駆動バネ１３と対向した状態で収納部１ｂ内に保持されている。この時、押圧部材１４は，コイルバネ１５の付勢力でケース６側に付勢された状態となっている。
【００６３】
この時、押圧部材１４の前方側がケース６後方側の壁部と当接しており、このケース６の後方側の壁部が押圧部材１４の受け部材を構成するものとなっている。すなわち、コイルバネ１５によって前方側に付勢された押圧部材１４の動き（操作軸５の軸線方向の動き）が、ケース６の後方側の壁部からなる受け部材によって規制（制限）されている。
【００６４】
このように、押圧部材１４を介してプッシュスイッチＳ１が操作され、この押圧部材１４をケース６側に付勢するコイルバネ１５が設けられ、ハウジングにはコイルバネ１５により付勢される押圧部材１４が当接して押圧部材１４の動きを制限する受け部材としてケース６を設けるようにしている。これにより、押圧部材１４を付勢する付勢力がこの受け部材としてのケース６によって受け止められるため、この付勢力が操作軸５に及ぶことがないので、操作軸５の操作性が良好となる。また、受け部材をケース６の後方側の壁部で構成したことから、構造が簡易となり、部品点数の削減が図れるものとなる。
【００６５】
また、押圧部材１４を中空状に形成し、この中空部に軸受け部２を挿通して押圧部材１４を軸受け部２の外周部に配置するようにしたので、簡単な構造で確実に位置決めされ、且つ、安定した押圧操作が得られるものとなっている。
【００６６】
さらに、コイルバネ１５を押圧部材１４とケース１の底面との間に配置し、このコイルバネ１５により押圧部材１４をケース６側に付勢するようにしたので、操作軸５及び押圧部材１４の復帰を確実に行えると共に、プッシュスイッチＳ１がオンとなる荷重を容易に変更することができ、バラエティー対応が簡単に行えるものとなっている。
【００６７】
ケース６においては、挿通孔６ａの外側に環状壁部６ｅを介して有底状で前方（上面）側が開口された円環状の収納部６ｂが設けられている。なお、環状壁部６ｅの高さは、収納部６ｂの外周を形成する外壁部６ｆの高さに対して低い、略半分弱の高さに形成されており、この環状壁部６ｅの上面側で挿通孔６ａと収納部６ｂとが連通されて繋がった状態となっている。また、収納部６ｂの内底面に配設された導電パターン６ｃから導出された外部端子６ｄは、ケース６とケース１の外壁部６ｆと１ｍに沿ってハウジングの後方側に延出され、ケース１の係止突部１ｎに係止されて保持されている。
【００６８】
また、ケース６の挿通孔６ａには、軸受け部２に挿通された操作軸５の基台部５ａが配設されており、基台部５ａの後方側の当接突部５ｈがケース１の収納部１ｂに配設された押圧部材１４の前方側の面に当接されている。そして、操作軸５の押圧（押し下げ）操作に伴って、当接突部５ｈにより押圧部材１４が付勢部材であるコイルバネ１５の付勢力に抗して押し下げられ、駆動部１４ｃの先端が駆動バネ１３を押圧することにより下方に配設された可動接点板１２の接片１２ａが押圧され、固定接点１ｋと接触することによりプッシュスイッチＳ１がオンするようになっている。この時、押圧部材１４の中央に設けられたストッパ部１４ｄと、収納部１ｂの底面側に設けられた隔壁１ｈとが当接することにより押圧部材１４の下降は停止され、可動接点板１２の変形を防止するようになっている。
【００６９】
さらに、ケース６の収納部６ｂには、中央に大径の開口部１６ａを有する円盤状の回転体１６が配設されている。この回転体１６は、合成樹脂等の絶縁材からなり、後方側の面を収納部６ｂの環状壁部６ｅの前方側の面に載置した状態で収納部６ｂと挿通孔６ａとの連通部に配置されている。また、回転体１６の開口部１６ａの内周面には、少なくとも一対の凹凸状に形成された第２係合部１６ｂが設けられており、この第２係合部１６ｂが、対向して配置された操作軸５の基台部５ａの外周面に設けられた凹凸状の第１係合部５ｇと係合されている。この係合により、回転体１６は，操作軸５とスプライン係合されるものとなっている。
【００７０】
また、この回転体１６の後方側の面には、導電性の薄板金属板からなる複数個の接片８ａを有する摺動子片８が固着されており、この摺動子片８の接片８ａが収納部６ｂの内底面に配設された導電パターン６ｃと接触している。そして、操作軸５に対する回転操作に伴って、回転体１６が共回りすることで摺動子片８の接片８ａと導電パターン６ｃとが摺接され、所望の検出信号が外部端子６ｄから出力されるものとなっている。実施の形態２においては、これらの回転体１６、摺動子片８及び導電パターン６ｃで回転検出手段Ｓ２が構成されている。なお、図９には、図示していないが、回転体１６の前方側の面には、実施の形態１と同様に、板ばね９が対向配置される部分のカム溝が設けられ、このカム溝を板ばねに保持されたローラ１０が係脱することにより回転体１６が回転する際のクリック感触を生起するものとなっている。
【００７１】
このように実施の形態２に係る回転型電気部品においては、操作軸５を軸受け部２の外周部で回転可能に保持すると共に、軸受け部２の外周側に収納部１ｂ、６ｂを環状に設け、環状の収納部１ｂ、６ｂ内に回転検出手段Ｓ２及びプッシュスイッチＳ１とを配置したことから、ハウジングの中空状の軸受け部２の内周側をフリースペースとすることができるので、例えば、照光用の発光ダイオードや他の電子部品を配置することが可能となり、つまみ部の照光性能や電子部品の実装自由度が向上されるものとなる。また、同一の操作軸５で回転操作と押圧操作ができるので、良好な操作性が得られるものとなっている。
【００７２】
特に、実施の形態２に係る回転型電気部品においては、付勢部材を軸受け部２よりも巻き径が大きなコイルバネ１５で形成し、このコイルバネ１５を押圧部材１４とケース１の底面との間に配置し、コイルバネ１５により押圧部材１４をケース６に付勢している。これにより、操作軸５及びプッシュスイッチＳ１の復帰を確実に行うことができると共に、プッシュスイッチＳ１がオンとなる荷重を容易に変更することができ、簡単に、様々な回転型電気部品の仕様に対応することが可能となる。
【００７３】
（実施の形態３）
実施の形態３に係る回転型電気部品は、プッシュスイッチＳ１、押圧部材１４及び付勢部材の構成が一部異なる点で実施の形態２に係る回転型電気部品と相違する。以下、実施の形態３に係る回転型電気部品の構成について、実施の形態２に係る回転型電気部品との相違点を中心に説明する。図１０は、実施の形態３に係る回転型電気部品の構成を説明するための断面図である。なお、図１０において、図９と同一の構成については、同一の符号を付してその説明を省略する。
【００７４】
図１０に示すように、実施の形態３に係る回転型電気部品において、収納部１ｂには、可動接点板１２の接片１２ａの前方側に、可撓性を有するゴム或いはエラストマーからなり、軸受け部２を挿通される中空部を備えた環状の弾性成形体１７が配設されている。また、弾性成形体１７の前方側には、押圧部材１８が配設されている。この押圧部材１８が操作軸５により押圧されることにより弾性成形体１７が押圧され、可動接点板１２の接片１２ａと固定接点１ｋが接触されてプッシュスイッチＳ１がオンするようになっている。
【００７５】
弾性成形体１７は、押圧部材１８の後方側の面と当接する押圧部１７ａと、押圧部１７ａから収納部１ｂの内底面側に末広がりに拡開するスカート部１７ｂと、押圧部１７ａの後方側に突出する駆動部１７ｃとを有しており、この駆動部１７ｃの先端が可動接点板１２の接片１２ａと対向した状態で収納部１ｂ内に配置されている。また、弾性成形体１７は、付勢部材（復帰部材）を構成しており、押圧部材１８が操作軸５により押圧されるのに伴ってスカート部１７ｂが弾性変形し、このスカート部１７ｂの復元力によって押圧部材１８を前方側へ付勢するものとなっている。また、弾性成形体１７が押圧部材１８によって押圧されて、スカート部１７ｂが弾性変形する際に、このスカート部１７ｂが反転動作するように構成されており、この反転動作によって操作軸５の押圧操作時のクリック感を生起するものとなっている。
【００７６】
押圧部材１８は、合成樹脂等の絶縁材で形成され、中央に中空状の挿通孔１８ａが設けられており、この挿通孔１８ａが軸受け部２に挿通されることにより押圧部材１８が収納部１ｂ内に保持されている。また、押圧部材１８には、外周側に凸状のストッパ部１８ｂが設けられており、このストッパ部１８ｂと収納部１ｂの内周縁部に設けられた段部１ｏとが当接することにより、押圧部材１８の後方側への移動が停止されるものとなっている。また、付勢部材（復帰部材）である弾性成形体１７の付勢力で押圧部材１８の前方側の面がケース６の後方側の面と当接することにより、押圧部材１８の軸線方向における前方側の動きが規制されており、このケース６の下面側の壁部が押圧部材１８の受け部材を構成するものとなっている。
【００７７】
このように実施の形態３に係る回転型電気部品においては、付勢部材を可撓性を有するゴム又はエラストマーからなる弾性成形体１７で形成し、この弾性成形体１７を押圧部材１８とケース１の底面との間に配置し、弾性成形体１７により押圧部材１８をケース６側に付勢するようにしている。これにより、ゴム又はエラストマーのスカート部１７ｂの反転動作により、操作軸５に対する押圧操作時のクリック感が簡単に得られるものとなっている。また、弾性成形体１７を中空状に形成し、この中空部に軸受け部２を挿通して弾性成形体１７を軸受け部２の外周部に配置するようにしたので、簡単な構造で確実に位置決めされ、且つ、安定した反転動作が得られるものとなっている。
【００７８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００７９】
【図１】本発明の実施の形態１に係る回転型電気部品の分解斜視図である。
【図２】実施の形態１に係る回転型電気部品の外観を示す斜視図である。
【図３】実施の形態１に係る回転型電気部品のケースに可動接点板を配置した場合の正面図である。
【図４】実施の形態１に係る回転型電気部品のケースに押圧部材を配置した場合の正面図である。
【図５】実施の形態１に係る回転型電気部品のケースに操作軸を取り付けた場合の斜視図である。
【図６】実施の形態１に係る回転型電気部品のケースを重ね合わせた場合の斜視図である。
【図７】実施の形態１に係る回転型電気部品のケースの収納部に回転体及び板ばねを収納した場合の斜視図である。
【図８】実施の形態１に係る回転型電気部品の断面図である。
【図９】本発明の実施の形態２に係る回転型電気部品の構成を説明するための断面図である。
【図１０】本発明の実施の形態３に係る回転型電気部品の構成を説明するための断面図である。
【図１１】従来の回転型電気部品の断面図である。
【図１２】図１１に示す回転型電気部品における操作軸を押した状態の断面図である。
【符号の説明】
【００８０】
１  ケース（第２のケース）
１ａ  貫通孔
１ｂ  収納部
１ｃ  スイッチ保持部
１ｄ  中央固定接点
１ｅ  外部固定接点
１ｆ  軸
１ｇ  外部端子
１ｈ  隔壁
１ｉ  バネ保持部
１ｊ  スイッチ保持部
１ｋ  固定接点
１ｌ  外部端子
１ｍ  外壁部
１ｎ  係止突部
１ｏ  段部
２  軸受け部
３  可動接点板（付勢部材）
４  押圧部材
４ａ  挿通孔
４ｂ  押圧片
４ｃ  位置規制片
４ｄ  孔（規制部）
４ｅ  押圧突起
５  操作軸
５ａ  基台部
５ｂ  軸部
５ｃ  挿通孔
５ｄ  ガイド片
５ｅ  係合片
５ｆ  爪部
５ｇ  第１係合部
５ｈ  当接突起
６  ケース（第１のケース）
６ａ  挿通孔
６ｂ  収納部
６ｃ  導電パターン
６ｄ  外部端子
６ｅ  環状壁部
６ｆ  外壁部
７  回転体
７ａ  開口部
７ｂ  係合溝
７ｃ  凹部
７ｄ  カム溝
７ｅ  クリックカム
８  摺動子片
８ａ  接片
９  板ばね
９ａ  挿通孔
９ｂ  ローラ保持部
９ｃ  取付部
１０  ローラ
１０ａ  シャフト
１１  取付部材
１１ａ  上板部
１１ｂ  係合脚片
１１ｃ  挿通孔
１２  可動接点板
１２ａ  接片
１３  駆動バネ
１４  押圧部材
１４ａ  挿通孔
１４ｂ  バネ受け部
１４ｃ  駆動部
１４ｄ  ストッパ部
１５  コイルバネ（付勢部材）
１６  回転体
１６ａ  開口部
１６ｂ  第２係合部
１７  弾性成形体（付勢部材）
１７ａ  押圧部
１７ｂ  スカート部
１７ｃ  駆動部
１８  押圧部材
１８ａ  挿通孔
１８ｂ  ストッパ部
【図１】
2008112975.tif 000003
【図２】
2008112975.tif 000004
【図３】
2008112975.tif 000005
【図４】
2008112975.tif 000006
【図５】
2008112975.tif 000007
【図６】
2008112975.tif 000008
【図７】
2008112975.tif 000009
【図８】
2008112975.tif 000010
【図９】
2008112975.tif 000011
【図１０】
2008112975.tif 000012
【図１１】
2008112975.tif 000013
【図１２】
2008112975.tif 000014
【手続補正書】
【提出日】平成19年9月7日(2007.9.7)
【手続補正１】
【補正対象書類名】図面
【補正対象項目名】図８
【補正方法】変更
【補正の内容】
【図８】
2008112975.tif 000015